(57)【要約】      （修正有）【課題】メンテナンス性に優れ、かつクリーン側とダーティ側とのシール性を高めることのできるセラミックフィルターの取付構造を提供する。【解決手段】ガス導入室３とガス導出室４との仕切り壁２のガス導入室３側にセラミックフィルター５の一端部を取り付ける取付台１０を設けるとともに、この取付台１０に対向する外壁１にセラミックフィルター５の他端部を支持する支持台１２を設け、円環状のシール材１３を取付台１０上に配した状態で、セラミックフィルター５をその一端部を前方に横向きにしてガス導入室３側から挿入し、鍔部９と仕切り壁２との間にシール材１３を挟み込むように押し込み、セラミックフィルター５の他端部を支持台１２にて支持する。【選択図】図１
2010012389.tif 000002
【特許請求の範囲】
【請求項１】
一端側外周面に鍔部を有し、かつその一端側が開口されるとともに他端側が閉鎖されてなる筒状のセラミックフィルターを、排ガスが導入されるガス導入室と、除塵後の清浄ガスが導出されるガス導出室とが仕切り壁を隔てて連設されてなるケーシングの前記ガス導入室内に取り付けるセラミックフィルターの取付構造であって、
前記仕切り壁の前記ガス導入室側に前記セラミックフィルターの一端部を取り付ける取付台を設けるとともに、この取付台に対向する前記ケーシングの外壁に前記セラミックフィルターの他端部を支持する支持台を設け、円環状のシール材を前記取付台上に配した状態で、前記セラミックフィルターをその一端部を前方に横向きにして前記ガス導入室側から挿入し、前記鍔部と仕切り壁との間に前記シール材を挟み込むように押し込み、該セラミックフィルターの他端部を前記支持台にて支持することを特徴とするセラミックフィルターの取付構造。
【請求項２】
前記シール材の内周側に、円環状のスペーサが配される請求項１に記載のセラミックフィルターの取付構造。
【請求項３】
前記スペーサと前記セラミックフィルターとの間に緩衝材が介挿される請求項２に記載のセラミックフィルターの取付構造。
【請求項４】
前記取付台が円環状に形成され、この取付台の内周面と前記セラミックフィルターの鍔部の外周面との隙間に緩衝材が介挿される請求項１〜３のいずれかに記載のセラミックフィルターの取付構造。
【請求項５】
前記セラミックフィルターの他端部に、有底円筒形状の受け金具と、その受け金具の内側に有底円筒形状の緩衝材が取り付けられる請求項１〜４のいずれかに記載のセラミックフィルターの取付構造。
【発明の詳細な説明】
【技術分野】
【０００１】
本発明は、ダストを含む排ガスからダストを除塵するろ過式集塵装置に用いられるセラミックフィルターの取付構造に関するものである。
【背景技術】
【０００２】
一般廃棄物や産業廃棄物、更には木屑や下水汚泥などの有機系廃棄物等を焼却もしくはガス化する際、ダストを含む排ガスが生成される。このような排ガスは大気に放出される前にろ過式集塵装置で除塵される。ここで、排ガスが高温の場合には、耐熱性を有するセラミックフィルターを装着したろ過式集塵装置が用いられる。
【０００３】
この種のろ過式集塵装置は、排ガスが導入されるガス導入室（集塵前のダーティ側領域）と、除塵後の清浄ガスが導出されるガス導出室（集塵後のクリーン側領域）とが開孔部を有する仕切り壁を隔てて連設されてなるケーシングを備え、このケーシングのガス導入室内に、一端側が開口されるとともに他端側が閉鎖されてなる筒状のセラミックフィルターが取り付けられて構成されている。この場合、セラミックフィルターの一端側の開口部を仕切り壁の開口孔に合致させるようにしてそのセラミックフィルターが設置される。使用されるセラミックフィルターとしては、鍔のないタイプのもの（特許文献１参照）と、一端部に鍔を持ったタイプのもの（特許文献２参照）とがある。
【０００４】
【特許文献１】特開平５−３４５１０９号公報
【特許文献２】特開２００５−３４２６２２号公報
【０００５】
ところで、鍔のない筒状のセラミックフィルターを用いた場合には、ダーティ側領域とクリーン側領域とのシール性を考えた場合、鍔のあるタイプのものに比べてシール部の面積が小さくなるため、シール性が劣るという欠点がある。このため、良好なシール性を確保するには鍔付きのセラミックフィルターを用いるのが望ましい。
【０００６】
図３には、従来の鍔付きセラミックフィルターの取付構造を表す断面図が示されている。図示のように、セラミックフィルター５０は、一端側外周面に鍔部５１を有し、かつその一端側が開口されるとともに他端側が閉鎖されてなる筒形形状とされている。ろ過式集塵装置は、排ガスが導入されるガス導入室（ダーティ側室）５２と、除塵後の清浄ガスが導出されるガス導出室（クリーン側室）５３とが仕切り壁５４を隔てて連設されてなるケーシングを備えている。仕切り壁５４には開孔部５５が穿設され、この開孔部５５に、セラミックフィルター５０をガス導出室５３側からその他端部を前方にして横向きに矢印Ｐ方向に挿入し、図示されないシール部材を介して鍔部５１の箇所で仕切り壁５４に取り付けられる。なお、ガス導出室５３内には、逆洗用ノズル５６、電磁弁５７等を備える逆洗装置５８が設置され、この逆洗装置５８によりセラミックフィルター５０内に圧縮空気等の逆洗用流体が定期的に吹き込まれる。
【０００７】
しかしながら、図３に示されるセラミックフィルターの取付構造では、セラミックフィルター５０を取り付けたり、取り外したりする際に、仕切り壁５４の開孔部５５にガス導出室５３側からセラミックフィルター５０を挿し込んだり、開孔部５５からガス導出室５３側にセラミックフィルター５０を引き抜く構造であるために、逆洗装置５８の全てもしくは一部を取り外し、クリーン側を開放状態にして作業を行う必要があった。このため、セラミックフィルター５０の取り付け、取り外し作業が煩雑であるのみならず、作業後に開孔部５５を閉止した際の設備内外に対するシール性確保が必要になるなどメンテナンス性が悪いという問題点があった。
【発明の開示】
【発明が解決しようとする課題】
【０００８】
本発明は、前述のような問題点を解消するためになされたもので、セラミックフィルターの取り付け、取り外しに際して、逆洗装置等のクリーン側に設置されている装置や部材を取り外す必要がなく、メンテナンス性に優れ、しかもクリーン側とダーティ側とのシール性を高めることのできるセラミックフィルターの取付構造を提供することを目的とするものである。
【課題を解決するための手段】
【０００９】
前記目的を達成するために、本発明によるセラミックフィルターの取付構造は、
一端側外周面に鍔部を有し、かつその一端側が開口されるとともに他端側が閉鎖されてなる筒状のセラミックフィルターを、排ガスが導入されるガス導入室と、除塵後の清浄ガスが導出されるガス導出室とが仕切り壁を隔てて連設されてなるケーシングの前記ガス導入室内に取り付けるセラミックフィルターの取付構造であって、
前記仕切り壁の前記ガス導入室側に前記セラミックフィルターの一端部を取り付ける取付台を設けるとともに、この取付台に対向する前記ケーシングの外壁に前記セラミックフィルターの他端部を支持する支持台を設け、円環状のシール材を前記取付台上に配した状態で、前記セラミックフィルターをその一端部を前方に横向きにして前記ガス導入室側から挿入し、前記鍔部と仕切り壁との間に前記シール材を挟み込むように押し込み、該セラミックフィルターの他端部を前記支持台にて支持することを特徴とするものである。
【００１０】
本発明において、前記シール材の内周側に、円環状のスペーサを配するのが好ましい。
【００１１】
また、前記スペーサが金属製の場合に、該スペーサと前記セラミックフィルターとの間に緩衝材が介挿されるのが好ましい。
【００１２】
また、前記取付台を円環状に形成し、この取付台の内周面と前記セラミックフィルターの鍔部の外周面との隙間に緩衝材を介挿するのが好ましい。
【００１３】
さらに、前記セラミックフィルターの他端部に、有底円筒形状の受け金具と、その受け金具の内側に有底円筒形状の緩衝材が取り付けられるのが好ましい。
【発明の効果】
【００１４】
本発明によれば、鍔部を有するセラミックフィルターが、ダーティ側であるガス導入室側から挿入されるので、クリーン側（ガス導出室側）に設置されている逆洗装置等の装置や部材を取り外す必要がなく、メンテナンス性に優れた取付構造とすることができる。また、セラミックフィルターは、鍔部付であるため、鍔部のないセラミックフィルターに比べて、クリーン側とダーティ側とのシール性をより高めることができる。さらに、ダーティ側からセラミックフィルターを設置するので、クリーン側を密閉することが可能となり、クリーン側のシール構造を簡素化することができる。
【発明を実施するための最良の形態】
【００１５】
次に、本発明によるセラミックフィルターの取付構造の具体的な実施の形態について、図面を参照しつつ説明する。
【００１６】
図１には、本発明の一実施形態に係るセラミックフィルターの取付構造を表す断面図が示されている。
【００１７】
本実施形態のろ過式集塵装置においては、ケーシングが、外壁１とその外壁１の内側に対向するように設けられる仕切り壁２とを備え、そのケーシングの内部空間が、排ガスの導入されるガス導入室（集塵前のダーティ側領域）３と、除塵後の清浄ガスが導出されるガス導出室（集塵後のクリーン側領域）４とに区画形成されている。仕切り壁２には、ガス導入室３側からセラミックフィルター５を介して排ガスをガス導出室４側に流通するための円形の開孔部６が形成されている。
【００１８】
セラミックフィルター５は、多孔質で耐熱性を有し、全体として筒形形状で、一端側が開口部７にて開口されるとともに他端側が閉止部８にて閉鎖され、一端側外周面に鍔部９が設けられた形状とされている。こうして、セラミックフィルター５の筒状の外周面から内部空間に向けて排ガスを通過させることによって、その排ガス中のダストが除去され、除塵後の清浄ガスが開口部７および開孔部６を通ってガス導出室４側に導出される。
【００１９】
仕切り壁２のガス導入室３側には開孔部６を取り囲むようにして円環状の取付台１０が突設され、この取付台１０に対向する外壁１には、その外壁１に形成された開孔部１１の端縁を覆うように円環状の支持台１２が設けられる。ここで、前記取付台１０は、円形の開孔部６と同心で、その内径が鍔部９の外径と略同じになるようにされ、これによってセラミックフィルター５の軸心を開孔部６の中心に合わせる作業が容易に行えるようにされている。
【００２０】
セラミックフィルター５の一端部の仕切り壁２への取付箇所においては、取付台１０の内側に円環状のシール材１３が配され、このシール材１３の内周側にスペーサ１４が配されている。このスペーサ１４は、シール材１３の内径と同じ外径の円環状の基部１４ａの一端部に開孔部６の内径と同じ内径の円環状の突起部１４ｂが一体化された形状の金具であり、この突起部１４ｂを開孔部６に嵌め込むことにより、セラミックフィルター５の軸心とスペーサ１４の軸心とが容易に合わせられるようにされている。また、スペーサ１４の基部１４ａとセラミックフィルター５の鍔部９の端面との間には緩衝材１９が設置され、これによりスペーサ１４が金属製の場合に、そのスペーサ１４がセラミックフィルター５と直接接触してセラミックフィルター５が破損するのを防ぐようにされている。こうして、セラミックフィルター５と仕切り壁２とによりシール材１３を挟み込んで圧縮することにより、シール材１３の反力を利用して所望のシール性を確保することができる。なお、シール材１３としては、高温雰囲気であっても弾力性、復元性を維持できる材質のものを選定する必要がある。
【００２１】
前記取付台１０とセラミックフィルター５の鍔部９の外周面との間には緩衝材１５が詰められ、セラミックフィルター５が金属製の取付台１０と直接接触して破損するのを防止するようにされる。また、この緩衝材１５を配置することにより、セラミックフィルター５の高さ方向、横方向および傾きを一定程度拘束することが可能である。
【００２２】
一方、セラミックフィルター５の他端部の外壁１へ取付箇所においては、金属製の支持台１２とセラミックフィルター５が直接接触して破損するのを防止するために、円筒状で一端が閉鎖された形状（有底円筒形状）の緩衝材１６がセラミックフィルター５の他端部を包み込むように取り付けられ、この緩衝材１６の外周部にその緩衝材１６と相似形状の受け金具１７が取り付けられる。
【００２３】
以上のような構成よりなるろ過式集塵装置において、セラミックフィルター５を取り付ける際には、シール材１３およびスペーサ１４を取付台１０に設置した状態で、セラミックフィルター５をその鍔部９を前にして横向きにガス導入室３側から挿し込む。そして、受け金具１７の閉鎖側を押し棒１８によりセラミックフィルター５とともに仕切り壁２に向けて押し込み、セラミックフィルター５の鍔部９の端面でシール材１３を圧縮する。このとき、セラミックフィルター５の押し込み位置はスペーサ１４により決定されるため、シール材１３は常に所定の圧縮率とすることができる。なお、押し棒１８による押し込み力は、図示されない圧縮ばねの反力や、ボルトの締め付け力を利用することにより得られる。
【００２４】
このようにセラミックフィルター５が押し込まれた際、セラミックフィルター５の軸心とスペーサ１４の軸心とを一致させることができる。また、セラミックフィルター５の鍔部９の外周部に配される緩衝材１５および、他端部に配される緩衝材１６と受け金具１７とにより、セラミックフィルター５の破損が防止され、さらに、緩衝材１５によりセラミックフィルター５の高さ方向、横方向および傾きが拘束されてセラミックフィルター５が所定位置に保持される。しかも、セラミックフィルター５の一端面に配されるシール材１３とスペーサ１４とにより、クリーン側であるガス導出室４とダーティ側であるガス導入室３との良好なシール性を確保することができる。
【００２５】
図２には、本発明の他の実施形態に係るろ過式集塵装置の概略構成図が示されている。
【００２６】
本実施形態のろ過式集塵装置２０においては、クリーン側であるガス導出室２１を密閉構造にし、このガス導出室２１を、ダーティ側であるガス導入室２２の内部空間に配置した例である。
【００２７】
ダーティ側よりセラミックフィルター５を設置するという本発明の考え方によれば、この例に示されるようにクリーン側を密閉することができ、クリーン側のシール構造を簡素化することができる。これに対して、クリーン側よりセラミックフィルターを設置するという従来技術では、クリーン側を開放する必要があるため、シール性を考慮した構造を採らなければならないという欠点がある。
【図面の簡単な説明】
【００２８】
【図１】本発明の一実施形態に係るセラミックフィルターの取付構造を表す断面図
【図２】本発明の他の実施形態に係るろ過式集塵装置の概略構成図
【図３】従来の鍔付きセラミックフィルターの取付構造を表す断面図
【符号の説明】
【００２９】
１          外壁
２          仕切り壁
３，２２    ガス導入室（集塵前のダーティ側領域）
４，２１    ガス導出室（集塵後のクリーン側領域）
５          セラミックフィルター
６，１１    開孔部
７          開口部
８          閉止部
９          鍔部
１０          取付台
１２          支持台
１３          シール材
１４          スペーサ
１５，１６    緩衝材
１７          受け金具
１８          押し棒
１９          緩衝材
【図１】
2010012389.tif 000003
【図２】
2010012389.tif 000004
【図３】
2010012389.tif 000005